(57)【要約】【課題】  コンパクト化を図り得るとともに、取扱い性に優れたヘッドホンの提供。【解決手段】  一対のスピーカ部と、スピーカ部どうしを連結するヘッドバンド部とから構成され、ヘッドバンド部は、スピーカ部どうしを接近させるよう所定の方向に沿う軸部材回りに折畳み可能に構成され、スピーカ部どうしを接近させるようヘッドバンド部を軸部材回りに折畳んだ姿勢を保持するための保持手段が、ヘッドバンド部に設けられている構成のヘッドホン。【選択図】  図６
2010239200.tif 000002
【特許請求の範囲】
【請求項１】
一対のスピーカ部と、該スピーカ部どうしを連結するヘッドバンド部とから構成されたヘッドホンであって、
前記ヘッドバンド部は、複数の本体部どうしを軸部回りに折畳み可能に組付けて構成され、前記複数の本体部どうしを前記軸部回りに折畳んだ姿勢を保持するための保持手段が設けられていることを特徴とするヘッドホン。
【請求項２】
保持手段は、ヘッドバンド部の本体部どうしを軸部回りに折畳んだ状態で該軸部どうしをその軸心方向で連結可能に設けられていることを特徴とする請求項１記載のヘッドホン。
【請求項３】
軸部は、ヘッドバンド部の幅方向中心にあって上下方向に沿う第一軸部と、該第一軸部に対して一対のスピーカ部側にそれぞれあって各スピーカ部が使用者の耳に装着された装着姿勢において前後方向に沿う第二軸部とを備え、
ヘッドバンド部は、本体部どうしが第一軸部回りに閉じる方向に回動した第一折畳み姿勢と、該第一折畳み姿勢からさらに各第二軸部回りに閉じる方向に回動した第二折畳み姿勢との間で切替可能に構成されており、
保持手段は、前記ヘッドバンド部の第二折畳み姿勢において折畳まれた本体部が離間しないよう第二軸部どうしの間隔を保持すべく、該第二軸部どうしに亘って設けられていることを特徴とする請求項１または請求項２記載のヘッドホン。
【請求項４】
保持手段は、一方の第二軸部に設けられて他方の第二軸部へ移動可能な保持軸体と、他方の第二軸部に設けられて前記保持軸体を係止保持可能な係止部材とから構成されていることを特徴とする請求項３記載のヘッドホン。
【請求項５】
第二折畳み姿勢から第一折畳み姿勢となるようヘッドバンド部を第二軸部回りに回動させる動作により、保持軸体がヘッドバンド部とともに回動して、保持軸体と係止部材との係止が解除するよう構成されていることを特徴とする請求項３または請求項４記載のヘッドホン。
【請求項６】
保持軸体と係止部材との係止を解除するよう保持軸体を一方の第二軸部側へ付勢するバネが設けられていることを特徴とする請求項４または請求項5記載のヘッドホン。
【請求項７】
第一折畳み姿勢においてスピーカ部の耳当面どうしが幅方向で重なるよう構成されていることを特徴とする請求項３ないし請求項６の何れかに記載のヘッドホン。
【発明の詳細な説明】
【技術分野】
【０００１】
本発明は、ヘッドホンに関する。
【背景技術】
【０００２】
一般にヘッドホンは、スピーカ部とヘッドバンド部とから構成されており、下記特許文献１および特許文献２に示すように、従来からヘッドバンド部を折畳み自在に構成して不使用時にはコンパクトにできるようにしたヘッドホンが提案されている。
特許文献１に示すヘッドホンでは、ヘッドバンド部が所定の軸心回りに折畳み自在に構成されており、不使用時にはヘッドバンド部を軸心回りに回動させてヘッドバンド部を閉じる方向に折畳むことで、持運びに便利なようにコンパクト化できるようになっている。
【先行技術文献】
【特許文献】
【０００３】
【特許文献１】特開平６−３５１０９０号公報
【特許文献２】特開２０００−１２５３８６号公報
【発明の概要】
【発明が解決しようとする課題】
【０００４】
しかしながら、従来のヘッドホンでは、ヘッドバンド部を折畳んだ状態では、折畳まれたヘッドバンド部の姿勢を保持する構成を有さない。このため、折畳まれたヘッドバンド部に外力が働いたり、あるいはヘッドバンド部自体の自重が軸心回りに働いたりすることにより、折畳まれたヘッドバンド部が、軸心回りに開く方向に回動してコンパクト化の邪魔になる。
また、ヘッドバンド部が開く方向に勝手に軸心回りに回動してしまうと、ヘッドホンを取扱いにくい。
【０００５】
そこで本発明は、上記課題に鑑み、コンパクト化を図り得るとともに、取扱い性に優れたヘッドホンの提供を目的とする。
【課題を解決するための手段】
【０００６】
本発明のヘッドホンは、一対のスピーカ部と、該スピーカ部どうしを連結するヘッドバンド部とから構成され、前記ヘッドバンド部は、複数の本体部どうしを軸部回りに折畳み可能に組付けて構成され、前記複数の本体部どうしを前記軸部回りに折畳んだ姿勢を保持するための保持手段が設けられていることを特徴としている。
【０００７】
上記構成において、ヘッドバンド部を軸部回りに折畳んだ姿勢とすることで、その分だけヘッドホンをコンパクトに収めることが可能となり、しかも保持手段によって折畳んだ姿勢を保持することで、ヘッドバンド部が開いてしまうのを抑えてコンパクトな姿勢が保持され、ヘッドホンの取扱いがし易い。
【０００８】
本発明のヘッドホンでは、保持手段は、ヘッドバンド部の本体部どうしを軸部回りに折畳んだ状態で該軸部どうしをその軸心方向で連結可能に設けられていることを特徴としている。
【０００９】
上記構成において、ヘッドバンド部の本体部どうしを軸部回りに折畳み、保持手段を介して軸部どうしを連結する。
本発明のヘッドホンでは、軸部は、ヘッドバンド部の幅方向中心にあって上下方向に沿う第一軸部と、該第一軸部に対して一対のスピーカ部側にそれぞれあって各スピーカ部が使用者の耳に装着された装着姿勢において前後方向に沿う第二軸部とを備え、ヘッドバンド部は、本体部どうしが第一軸部回りに閉じる方向に回動した第一折畳み姿勢と、該第一折畳み姿勢からさらに各第二軸部回りに閉じる方向に回動した第二折畳み姿勢との間で切替可能に構成されており、保持手段は、前記ヘッドバンド部の第二折畳み姿勢において折畳まれた本体部が離間しないよう第二軸部どうしの間隔を保持すべく、該第二軸部どうしに亘って設けられていることを特徴としている。
【００１０】
上記構成において、ヘッドバンド部の本体部どうしを第一軸部回りに閉じる方向に回動して第一折畳み姿勢とし、第一折畳み姿勢からさらに各第二軸部回りに閉じる方向に回動して第二折畳み姿勢とし、ヘッドバンド部の第二折畳み姿勢において、保持手段によって、折畳まれた本体部が離間しないよう第二軸部どうしの間隔を保持手段によって保持させて、第二折畳み姿勢を保持する。
【００１１】
第二軸部どうしは、所定の大きさの間隔をあけて保持するよう構成してもよいし、第二軸部どうし当接（接触）させた状態で保持するよう構成してもよい。第二軸部どうしを当接した状態で保持する構成であれば、間隔をあける場合に比べていっそうコンパクトにして収容することが可能になる。
本発明のヘッドホンでは、保持手段は、一方の第二軸部に設けられて該一方の第二軸部から他方の第二軸部へ移動可能な保持軸体と、他方の第二軸部に設けられて前記保持軸体を係止保持可能な係止部材とから構成されていることを特徴としている。
【００１２】
上記構成において、保持軸体を一方の第二軸部から他方の第二軸部へ移動させて保持軸体を係止部材に係止させると、保持軸体は一方の第二軸部に係止した状態であるから、双方の第二軸部が保持軸体を介して保持される。
【００１３】
本発明のヘッドホンでは、第二折畳み姿勢から第一折畳み姿勢となるようヘッドバンド部を第二軸部回りに回動させる動作により、保持軸体がヘッドバンド部とともに回動して、保持軸体と係止部材との係止が解除するよう構成されていることを特徴としている。
【００１４】
上記構成によれば、ヘッドホンを使用する際に、ヘッドバンド部を第二折畳み姿勢から第一折畳み姿勢となるよう第二軸部回りに回動させると保持手段での保持が解除されることから、ヘッドホンを第二折畳み姿勢から装着姿勢とするまでを、一連の動作で行うことが可能になる。
【００１５】
本発明のヘッドホンでは、保持軸体と係止部材との係止を解除するよう保持軸体を一方の第二軸部側へ付勢するバネが設けられていることを特徴としている。
この構成によれば、バネの弾性によって保持軸体と係止部材との係止が自動的に解除されるから、その分だけ装着姿勢とするのに手間取らない。
【００１６】
本発明のヘッドホンでは、第一折畳み姿勢においてスピーカ部の耳当面どうしが幅方向で重なるよう構成されていることを特徴としている。
上記構成のように、スピーカ部の耳当面どうしが重なるように収められることで、コンパクト化が促進される。
【発明の効果】
【００１７】
本発明のヘッドホンでは、ヘッドバンド部を、複数の本体部どうしを軸部回りに折畳み可能に組付けて構成し、複数の本体部どうしを軸部回りに折畳んだ姿勢を保持するための保持手段を設けたから、ヘッドバンド部を軸部回りに折畳んだ姿勢とすることで、その分だけヘッドホンをコンパクトに収めることができ、しかも保持手段によって折畳んだ姿勢を保持することができ、ヘッドバンド部が開いてしまうのを抑えてコンパクトな姿勢を保持することができ、ヘッドホンを取扱い易い。
【図面の簡単な説明】
【００１８】
【図１】本発明の実施形態を示すヘッドホンの装着姿勢を示す全体斜視図
【図２】同じく収納姿勢とすべくスピーカ部どうしを回動させた状態の斜視図
【図３】同じく図２からヘッドバンド部の第一折畳み姿勢に至る途中の斜視図
【図４】同じく第一折畳み姿勢を示す斜視図
【図５】同じく第二折畳み姿勢および第三折畳み姿勢（ヘッドホンの収納姿勢）を示す斜視図
【図６】同じく第二軸部の構成の一部の詳細を示す組立図
【図７】同じく第二軸部の構成の一部の詳細を示す組立図
【図８】同じく第二軸部の構成の詳細を示す断面図
【図９】同じく保持手段による保持、解除状態のうち解除状態を示す断面図
【図１０】同じくヘッドホンの一部を示す平面図
【図１１】同じく保持手段による保持、解除状態のうちその途中の状態を示す断面図
【図１２】同じくヘッドホンの一部を示す平面図
【図１３】同じく保持手段による保持、解除状態のうち保持状態を示す断面図
【図１４】同じくヘッドホンの一部を示す平面図
【発明を実施するための形態】
【００１９】
以下、本発明の実施形態に係るヘッドホンを図面に基づいて説明する。このヘッドホンは、例えばモバイル型音楽プレーヤ等に電気的に接続されるようにして使用されるものである。
【００２０】
図１ないし図６はヘッドホンの装着姿勢から収納姿勢にいたる斜視図である。具体的に、図１は装着姿勢を示す全体斜視図、図２は収納姿勢とすべくスピーカ部どうしを回動させた状態の斜視図、図３は図２からヘッドバンド部の第一折畳み姿勢に至る途中の斜視図、図４は第一折畳み姿勢を示す斜視図、図５は第二折畳み姿勢および第三折畳み姿勢（ヘッドホンの収納姿勢）を示す斜視図、図６および図７は第二軸部の構成の詳細を示す組立図である。
図６および図７は便宜上二つの図に分割してあるが、ヘッドホンのヘッドバンド部を介して分離しない構成になっている。なお、図７に保持手段を表している。
また、図８は第二軸部の構成の詳細を示す断面図である。
図９ないし図１４は、それぞれ保持手段による保持、解除の説明のための断面図およびヘッドホンの一部を示す平面図である。なお、図９ないし図１４は、保持手段による第二軸部どうしの連結保持および解除の説明を兼用している。
【００２１】
まず、図１ないし図５を主な説明図として、ヘッドホン１の全体構成を説明する。
ヘッドホン１は、一対（使用者の左右の耳にそれぞれ当てる）のスピーカ部２，２と、スピーカ部２，２どうしを連結するヘッドバンド部３とを有する。
ヘッドバンド部３は、ヘッドバンド本体４を有し、図１に示すような、装着者が装着する装着姿勢Ａにおいて、ヘッドバンド本体４は、正面視して上方へ突となる湾曲形状に形成されている。
【００２２】
ヘッドバンド部３の左右の各下端部に、ヘッドホン１の装着姿勢Ａにおいて、側面視して円弧状のハンガー部５，５を有するハンガー６，６が、略縦方向（略上下方向）に沿う縦軸部７，７回りにそれぞれ回動自在に設けられている。
この縦軸部７，７は、縦方向に対して下方ほどわずかに幅方向内方となるようその軸心７ａが傾斜した支軸構造から構成されている。
【００２３】
各スピーカ部２，２の外形形状は、短幅の略円柱形状に形成されており、装着姿勢Ａにおいて、スピーカ部２，２は、それぞれハンガー部５，５に前後方向の吊持軸部材８，８を介して揺動自在に吊持されている。
吊持軸部材８，８は、スピーカ部２，２の外周面においてその上下方向略中心位置でスピーカ部２，２を保持する構成とされている。
【００２４】
スピーカ部２，２は、それぞれ内部に不図示のスピーカが内装され、該スピーカどうしは、不図示の接続コードを介して電気的に接続されている。
この接続コードは、その長手方向のほとんどの領域がヘッドバンド部３内を挿通しており、外部から観て取ることができないようになっている。これにより、ヘッドホン１の取扱いに際して接続コードが邪魔にならないように構成され、また優れた外観を呈している。
図１ないし図５において、符号１０は前記接続コードを被覆するカバーを示す。
【００２５】
一方のスピーカ部２にはコードリール（図示しない）が内装されており、該コードリールに、前記モバイル型音楽プレーヤ等に接続される巻取コード９が、引出・巻回自在に巻取られる構成になっている。
さらに、一方のスピーカ部２，２には、巻取コード９においてモバイル型音楽プレーヤ等に接続される先端部のジャック１１を差込むための、不図示の差込部が設けられている。
なお、図１に示す装着姿勢Ａとは、ヘッドホン１全体の姿勢であって、ヘッドバンド部３が折畳まれておらず、正面視してヘッドバンド部３の左右幅方向中心が上方に突となっており、且つスピーカ部２，２の耳当面１２，１２どうしが幅方向（左右方向）で離間して対向した姿勢である。
【００２６】
ヘッドバンド部３は、前記ヘッドバンド本体４を備え、ヘッドバンド本体４は、左右一対となるよう二つ割りに構成された本体部１３，１３からなる。本体部１３，１３は、それぞれ湾曲した帯状に形成され、湾曲方向に伸縮自在な構成を有する。
各本体部１３，１３の下部（スピーカ部２，２側）には、中抜き矩形形状の外装部１４，１４が設けられ、各本体部１３，１３の上部に頭頂相当部１５，１５をそれぞれ有している。
頭頂相当部１５，１５の下部挿入部分は、それぞれ外装部１４，１４に内嵌しつつ、ヘッドバンド本体４の湾曲方向に沿うようスライド可能に構成されている。この構成により、ヘッドホン１はその高さを、使用者の頭部の頭頂から耳までの高さに合致するよう調節した使用が可能になっている。
【００２７】
ヘッドバンド部３は、ヘッドホン１の装着姿勢Ａにおける非折畳み姿勢から、図５に示す第三折畳み姿勢Ｂ３、すなわちヘッドホン１を収納姿勢Ｃとする途中で、幅方向に離間したスピーカ部２，２どうしを接近させるよう、複数の所定の方向に沿う軸部回りに折畳み可能に構成されている（多関節構成とされている）。
具体的に、ヘッドバンド部３は、第一軸部１６、一対の第二軸部１７，１７、および一対の第三軸部１８，１８を有して、これらの軸部回りに回動可能に構成されている。
【００２８】
複数の軸部のうち、第一軸部１６は、ヘッドバンド部３（ヘッドバンド本体４）を、図４に示すような第一折畳み姿勢Ｂ１とする際の回動中心となる部分である。
第二軸部１７，１７は、図５に示すように、ヘッドバンド部３を第二折畳み姿勢Ｂ２とする際の回動中心となる部分であり、相欠継手式の構成を有する。
第三軸部１８，１８は、ヘッドバンド部３を第三折畳み姿勢Ｂ３とする際の回動中心となる部分であり、本体部１３，１３それぞれの長手方向途中にあって相欠継手式の構成を有する。この第三軸部１８，１８によって、頭頂相当部１５，１５に対して、外装部１４，１４を有する下部挿入部分が相対的に回動可能に構成されている。
【００２９】
ヘッドバンド部３は、第一軸部１６回りに閉じる方向に回動した第一折畳み姿勢Ｂ１と、第一折畳み姿勢Ｂ１からさらに第二軸部１７，１７回りに閉じる方向に回動した第二折畳み姿勢Ｂ２と、第二折畳み姿勢Ｂ２からさらに第三軸部１８，１８回りに閉じる方向に回動した第三折畳み姿勢Ｂ３の間で姿勢を切替可能に構成されている。
【００３０】
第一軸部１６は、ヘッドバンド部３の幅方向中心部分にあって上下方向に沿う第一軸部材２０を有する。また、第一軸部１６は、ヘッドバンド本体４の前寄部側（装着者から離れる方向）に、さらに前方に突出するよう各本体部１３，１３に形成した突出部２１，２２を有する。第一軸部材２０は両突出部２１，２２を縦方向（上下方向）に貫通して設けられている。
第一軸部１６における本体部１３，１３どうしの合わせ面（分割面）において、一方の本体部１３に、他方の本体部１３の合わせ面に向けて突出する挿入部２３（図４参照）が形成されている。他方の本体部１３に、挿入部２３の挿入を許容してしかも係止する凹部（図示省略）が形成されている。
【００３１】
第二軸部１７，１７は、第一軸部１６に対して一対のスピーカ部２，２側の端部にそれぞれあって、且つ装着姿勢Ａにおいて前後方向に沿い第一折畳み姿勢Ｂ１において幅方向に沿う第二軸部材をそれぞれ有する。
これら第二軸部材どうしは、ヘッドバンド本体４を第二折畳み姿勢Ｂ２とする際の回動中心となる軸部分である。また第二軸部１７は、第二折畳み姿勢Ｂ２においてヘッドバンド本体４の各本体部１３，１３どうしが幅方向に離間するのを阻止して、第二軸部材どうしが幅方向で連結した状態を保持するための保持手段としての構成を有する。
さらに保持手段は、ヘッドバンド本体４を第二折畳み姿勢Ｂ２から第一折畳み姿勢Ｂ１となるよう第二軸部材回りに回動させると、自動的に保持が解除されるよう構成されている。
【００３２】
図６および図７に示すように、各第二軸部１７，１７は、それぞれ第二軸部材を支持するための支持部材２５，２５を有する。支持部材２５，２５は、前記縦軸部７，７を一体に有する。
各支持部材２５，２５は、縦軸部７，７と、縦軸部７，７にフランジ２６，２６を介して互いに幅方向内外に所定距離だけ離間した支持スリーブ２７，２８とから一体的に形成されている。
両支持スリーブ２７，２８の間には、本体部１３，１３の下端部に一体的に形成された回動スリーブ３０，３０が介挿されている。
【００３３】
ここで、図６を主として、一方の第二軸部１７（例えば、差込部を有する側の第二軸部１７）における第二軸部材について説明する。
一方の第二軸部１７における第二軸部材は、複数の軸部材から構成されており、支持スリーブ２７，２８に、幅方向内方から挿入される軸部材と、支持スリーブ２７，２８に幅方向外方から挿入される軸部材とからなる。
【００３４】
図７に示すように、一方の第二軸部１７において、幅方向内方の支持スリーブ２７に内側から挿入される軸部材として、支持スリーブ２７の内側を塞ぐ円筒状の内蓋部材３１と、この内蓋部材３１の中心に形成された挿通孔に挿通される円柱状の保持軸体３２とを有する。
内蓋部材３１はその外周壁に、支持スリーブ２７の内周面に形成された係止部２７ａに係止する係止爪３３，３３を有する。
【００３５】
保持軸体３２は、幅方向長さＬ１が支持スリーブ２７，２８の内側端と外側端の間の距離Ｌ２に比べて長く設定されている。保持軸体３２の内方端側は大径部４５とされ、外方側は大径部４５に比べて小径の小径部４６とされている。
すなわち大径部４５と小径部４６とは、環状の段付面４７を介して連続している。
【００３６】
大径部４５の外周面には、径方向で対向する位置に、図９，図１１，図１３に示すように、周方向に沿うよう保持溝５０，５０が対で形成されている。これら保持溝５０，５０の底面は湾曲しており、その湾曲形状として、それぞれ周方向一方側に向かって径が大きくなるよう漸次的に深く（周方向他方側に向かって径が小さくなるよう漸次的に浅く）形成されている。
【００３７】
そして各保持溝５０，５０の最深部からは大径部４５の外周面に向けて立上がる立上壁面５０ａ，５０ａが形成されている。また、各保持溝５０，５０の両側部（幅方向両側側部）には、大径部４５の外周面に向けて立上がる側壁面５０ｂ，５０ｂが形成されている。したがって、この側壁面５０ｂ，５０ｂは、周方向一方側に向かって漸次的に高さが高くなるよう（周方向他方側に向かって高さが漸次的に低くなるよう）形成されている。
【００３８】
大径部４５の内方端部には、全周に亘って面取４５ａが施されている。各保持溝５０，５０は面取り４５ａの幅方向端部近傍に形成されている。
小径部４６の幅方向外端側に、一方の保持溝５０と周方向で対応する位置に、キー溝５２が形成されている。キー溝５２の係止面（幅方向に沿う平面）に、キー孔５３が幅方向に直交する方向（径方向に沿う方向）に形成されている。
小径部４６の長さ方向途中に係止片４６ａ，４６ａが形成されている。これら係止片４６ａ，４６ａは、後述の軸受５７の胴部６１に形成した幅方向の案内溝６１ａ，６１ａに周方向で係止するとともに幅方向に案内される。
【００３９】
一方の第二軸部１７において、幅方向外方の支持スリーブ２８に外側から挿入される軸部材として、保持軸体３２の小径部４６の回動動作を補助する筒状の前記軸受５７と、軸受５７の外側から挿入される外蓋部材５８と、外蓋部材５８のさらに外側から挿入される抜止部材６０とを有する。
【００４０】
図６に示すように、軸受５７はその筒状の胴部６１が二つ割り形状である。胴部６１を形成する各割り部の間には前記案内溝６１ａ，６１ａが形成されている。胴体６１の各割り部の内方側端部には、前記支持スリーブ２７の底壁６３に係止する係止爪３４，３４が周方向に離間して対で形成されている。
図８で示すように、係止爪３４，３４は、内蓋部材３１の幅方向外方の環状鍔部３１ａに幅方向で係止している。
胴部６１の外方側端部には、胴部６１に比べて大径の拡大部６２が形成されている。胴部６１は回動スリーブ３０の中心孔５４に貫通している。拡大部６２は、支持スリーブ２８の幅方向内方に形成された環状鍔２８ｂに幅方向で重ねられる（係止される）。
図８に示すように、前記保持軸体３２の段付面４７は、軸受５７の係止爪３４，３４に離着座自在に構成されている。
【００４１】
外蓋部材５８は、その外周壁に支持スリーブ２８の内周面に形成された係止部２８ａに係止する係止爪３５，３５が、周方向に離間して対で形成されている。
また、支持スリーブ２７の幅方向外方端には環状の底壁６３が形成されている。
【００４２】
抜止部材６０は、部材本体６４と、嵌合部材６５とから構成されている。抜止部材６０は、嵌合部材６５が径方向外方から装着される円筒状の被装着部６６と、被装着部６６に比べて大径の蓋板部６７とから形成されている。
被装着部６６の外周一部は切欠かれて切欠部６８が形成され、切欠部６８の底面に、嵌合部材６５の回止片７０が挿入されて部材本体６４の内空部分に連通する孔７１が形成されている。切欠部６８は前後方向での断面が扇形状に形成されている。
嵌合部材６５は、切欠部６８と相対形状の頭部７２と、孔７１に挿入される前記回止片７０とから形成されている。この回止片７０は、保持軸体３２の小径部４６のキー孔５３に、径方向外方から嵌入される部分である。
【００４３】
軸受５７の拡大部６２の幅方向外方面および被装着部６６の幅方向内方面をバネ座として、拡大部６２と被装着部６６との間に、保持軸体３２を幅方向外方に付勢する、不図示の付勢手段としてのバネ（コイルバネが用いられる）が介装されている。
以上の構成により、保持軸体３２と抜止部材６０とは一体化され、ともに回動可能となるとともに、保持軸体３２と抜止部材６０とはコイルバネによって幅方向外方に付勢されている。
【００４４】
次に、図７に戻って、他方の第二軸部１７における第二軸部材について説明する。他方の第二軸部１７における第二軸部材もまた、複数の軸部材から構成されており、支持スリーブ２７に、幅方向内方から挿入される軸部材と、支持スリーブ２８に幅方向外方から挿入される軸部材とから構成されている。
【００４５】
幅方向内方の支持スリーブ２７に内方から挿入される軸部材は、支持スリーブ２７に内嵌する保持筒体７５から構成されている。
保持筒体７５は、一方側に、保持軸体３２の大径部４５の挿入を許容する開口７５ａが形成されている。保持筒体７５の他方側は開放されている。
保持筒体７５の外周面に、支持スリーブ２７の内周面に形成された係止部２７ａに係止する係止爪３６，３６が形成されている。
【００４６】
保持筒体７５の内周面に、係止片５６，５６が、周方向に離間して径方向で対向して形成されている。係止片５６，５６は保持軸体３２の保持溝５０，５０の立上壁面５０ａ，５０ａに周方向で当接して係止可能に構成されている。
また、係止片５６，５６は保持溝５０，５０の側壁面５０ｂ，５０ｂに幅方向で当接して係止可能に構成されている。
【００４７】
図８、図９等に示すように、係止片５６，５６の内径側部分の一方側角部は、テーパ面に形成されている。このように形成することで、保持軸体３２の大径部４５（その先端の面取４５ａ部分）で係止片５６，５６が径方向外方に押圧されて、その基部を中心として弾性変形し易い（弾性的に広がり易い）ように構成されている（特に図１１参照）。
なお、保持溝５０，５０の幅は、係止片５６，５６の幅に比べて若干大きく設定されている。
【００４８】
幅方向外方の支持スリーブ２８に外側から挿入される軸部材は、軸受５７と、本体部１３の回動中心となる回動中心軸部材７６とから構成されている。
軸受５７はその筒状の胴部６１が二つ割り形状であり、胴部６１を形成する割り部の幅方向内方側端部には、保持筒体７５の幅方向外方の環状鍔部７５ｂに幅方向で係止する係止爪３４，３４が周方向で対に設けられている。胴部６１の外方側端部には、胴部６１に比べて大径の拡大部６２が形成されている。この拡大部６２は、支持スリーブ２８の幅方向内方に形成された環状鍔２８ｂに幅方向で重ねられる（係止される）。胴部６１は回動スリーブ３０の中心孔５４に貫通している。
【００４９】
回動中心軸部材７６は、軸胴７７と軸胴７７に比べて大径の軸頭７８とから形成されている。軸胴７７はほぼ軸受５７の胴部６１に挿入される長さを有している。換言すれば、回動スリーブ３０の中心孔５４に貫通するよう構成されている。
回動中心軸部材７６の軸頭７８はその外周部に、外方の支持スリーブ２８の内周面に形成された係止部に幅方向で係止する、周方向に離間した一対の係止爪３７，３７が形成されている。
【００５０】
上記構成の両第二軸部１７，１７において、ヘッドバンド部３（ヘッドバンド本体４の本体部１３，１３）と、第二軸部材とは、装着姿勢Ａにおいて前後方向、第一折畳み姿勢Ｂ１において幅方向となる軸心８０回りに相対的に回動可能に構成されている。
【００５１】
ここで、ヘッドバンド部３とともに軸心８０回りに回動する部材について述べる。一方の第二軸部材（保持軸体３２を有する側）において、ヘッドバンド部３とともに軸心８０回りに回動する部材は、保持軸体３２、軸受５７、抜止部材６０である。換言すれば、支持部材２５とともに軸心８０回りに回動する軸部材は、内蓋部材３１、外蓋部材５８である。
他方の第二軸部材（保持筒体７５を有する側）において、ヘッドバンド部３とともに軸心８０回りに回動する部材は、軸受５７である。換言すれば、支持部材２５とともに軸心８０回りに回動する軸部材は、保持筒体７５、回動中心軸部材７６である。
【００５２】
次に、ヘッドホン１の装着姿勢Ａおよび収納姿勢Ｃ、並びにヘッドバンド部の各折畳み姿勢Ｂ１〜Ｂ３について説明する。
まず、図１に示すように、ヘッドホン１の装着姿勢Ａは、ヘッドバンド部３においては、一方の本体部１３の合わせ面の挿入部２３が、他方の本体部１３の凹部に挿入されてヘッドバンド部３が折畳まれておらず、スピーカ部２，２においてはその一側面である耳当面１２，１２どうしが対向している状態である。
この装着姿勢Ａにおいて、使用者は頭頂相当部１５，１５を頭頂部に掛け、スピーカ部２，２の耳当面１２，１２を左右の耳に当てて音楽等を聴くことができる。
なお、この装着姿勢Ａでは、使用者の頭頂から耳までの高さに合致するようヘッドバンド本体４の外装部１４，１４に対して、ヘッドバンド本体４の下部の露出量を調節するようにスライドさせることでヘッドバンド本体４の高さを調節して、快適に装着することができる。
【００５３】
次に、ヘッドホン１を収納する際に、ヘッドホン１を折畳む手順の一例を説明する。
まず、図１に示したヘッドホン１の装着姿勢Ａから、図２に示すように、縦軸部７，７回りにスピーカ部２，２をその耳当面１２，１２が前方に位置するように軸心７ａ，７ａ回りに回動させる。
このようにスピーカ部２，２をその耳当面１２，１２が前方に位置するように軸心７ａ，７ａ回りに回動した姿勢とし、続いて図３に示すように、第一軸部１６の第一軸部材２０（その軸心２０ａ）回りにヘッドバンド本体４の本体部１３，１３どうしを前方に回動させ、図４に示すように、本体部１３，１３の側面どうしが当接し、スピーカ部２の耳当面１２，１２どうしが対向する（あるいは接触する）よう折畳む。
【００５４】
本体部１３，１３の側面どうしが当接するのは、第一軸部１６が、ヘッドバンド本体４の前寄部側に、さらに前方に突出するよう各本体部１３，１３に形成した突出部２１，２２を有して、第一軸部材２０は両突出部２１，２２を縦方向（上下方向）に貫通して設けられているからである。このように、本体部１３，１３の側面どうしが当接すれば、ヘッドホン１は幅方向で上方が突となるように湾曲したヘッドバンド本体４が折畳まれて、ヘッドホン１全体を、装着姿勢Ａにおける幅に対して著しく幅の狭い姿勢とすることができる。
【００５５】
上記のように、ヘッドバンド本体４の本体部１３，１３どうしを第一軸部材２０（その軸心２０ａ）回りに回動させて折畳んだ姿勢が、ヘッドバンド部３の第一折畳み姿勢Ｂ１である。第一折畳み姿勢Ｂ１においては、スピーカ部２，２の耳当面１２，１２どうしは幅方向で対向し、あるいは重ねられた状態となる。  なお、ヘッドホン１の装着姿勢Ａにおいては、第二軸部材（軸心８０）はそれぞれ前後方向に沿っていたが、第一折畳み姿勢Ｂ１とすると、第二軸部材は幅方向に沿う。
【００５６】
ヘッドバンド部３を第一折畳み姿勢Ｂ１とした後に、続いて図５に示すように、ヘッドバンド部３を第二折畳み姿勢Ｂ２とする。第二折畳み姿勢Ｂ２は、ヘッドバンド本体４を、第一折畳み姿勢Ｂ１から第二軸部材（軸心８０）回りに、本体部１３，１３がそれぞれスピーカ部２，２の外周面に沿うよう閉じる方向に回動させた姿勢である。
このようにヘッドバンド本体４を、その本体部１３，１３がそれぞれスピーカ部２，２の外周面に沿うよう回動させるとにより、ヘッドホン１全体をさらにコンパクトなサイズにすることができる。
なお、ヘッドバンド部３を第二折畳み姿勢Ｂ２とした時に、若干のクリック感が生じるようになっている。これは、両軸受５７，５７と支持スリーブ２８，２８とに、スピーカ部２，２とヘッドバンド部３とを第二軸部回りに相対的に回動させた際に若干の嵌合力をもって嵌合する凹部と凸部とを設けた構成としてあるからである。
【００５７】
第二折畳み姿勢Ｂ２は、ヘッドホン１全体が著しくコンパクトなサイズになった姿勢であるが、本発明の実施形態では、さらにコンパクトにすることができる構成を備えている。すなわち、このヘッドホン１のヘッドバンド本体４は、第三軸部１８，１８（軸心１８ａ）を中心に頭頂相当部１５，１５をスピーカ部２，２の外周面に当接するよう回動させる。これによりヘッドホン１をさらにコンパクトに収めることができる。
第三軸部１８，１８を中心に頭頂相当部１５，１５をスピーカ部２，２に沿うよう回動させた姿勢がヘッドバンド部３の第三折畳み姿勢Ｂ３（ヘッドホン１の収納姿勢Ｃ）である。なお、図５では第二折畳み姿勢Ｂ２および第三折畳み姿勢Ｂ３の双方を表している。
【００５８】
ところで、第一折畳み姿勢Ｂ１（第二折畳み姿勢Ｂ２および第三折畳み姿勢Ｂ３も同様）において、双方の第二軸部材どうしが幅方向に離間してしまうと、コンパクト化を確実に保持することができない。
【００５９】
そこで本発明の実施形態では、例えば第二折畳み姿勢Ｂ２において、ヘッドバンド本体４の各本体部１３，１３どうしが幅方向に離間するのを阻止して、第二軸部材どうしが幅方向で連結した状態を保持するための保持手段を有している。
しかも、この保持手段は、第二軸部１７，１７に設けている。したがって、保持手段を設けたがゆえにヘッドホン１全体が大型化するといった事態を回避している。
【００６０】
この実施形態では、保持手段は、少なくとも第二折畳み姿勢Ｂ２、および第三折畳み姿勢Ｂ３おいて、第二軸部１７，１７どうしが離間するのを抑制するものであり、一方の第二軸部材に設けられ、その軸心８０に沿って移動して他方の第二軸部材側に幅方向で係止される杆状の被係止部材を有する。
また保持手段は、他方の第二軸部材側に、被係止部材を係止するための係止部材が設けられてなる。さらに、被係止部材を幅方向一方側に付勢する付勢手段を有している。
具体的には、被係止部材は前記保持軸体３２であり、被係止部材は保前記持筒体７５であり、付勢手段は前記コイルバネである。
【００６１】
保持軸体３２は、幅方向長さＬ１が各支持スリーブ２７，２８の内側端と外側端の間の距離Ｌ２に比べて長く設定されており、保持軸体３２と抜止部材６０とは一体に組付けられている。
したがって、一方の第二軸部１７を構成する第二軸部材を組付けた状態で、保持軸体３２と抜止部材６０の組品では、その幅方向内方側端部（大径部４５）または幅方向外方側端部（抜止部材６０）が、支持部材２５の幅方向端部から突出している。
【００６２】
例えば装着姿勢Ａにおいて、保持軸体３２はコイルバネによって幅方向外方に付勢されているから、前記組品はその幅方向内方側端部が一方の支持部材２５から突出するのではなく、幅方向外方側端部側が支持部材２５に対して幅方向外方に突出している（特に、図１０参照）。
保持軸体３２の段付面４７が軸受５７の係止爪３４，３４に幅方向内方から当接することで双方が幅方向で係止して、組品の幅方向外方側端部の突出量が規制されている。
【００６３】
そして、第二折畳み姿勢Ｂ２において、第二軸部の幅方向両側を手指によって挟み、コイルバネの弾性に抗して抜止部材６０を手指で押圧して幅方向内方に後退移動させ、前記組品における保持軸体３２の大径部４５を支持部材２５の支持スリーブ２７（内蓋部材３１）から幅方向内方に突出させる。
このとき、双方の第二軸部材の軸心８０どうしを概ね位置合わせしておくことにより、保持軸体３２の大径部４５が他方の第二軸部を構成する保持筒体７５に挿入される。
そして係止片５６，５６の内径側部分の一方側角部は、テーパ面に形成されているから、保持軸体３２の大径部４５によって係止片５６，５６が径方向外方に押圧されて、その基部を中心として弾性的に広げられる。
【００６４】
さらに抜止部材６０を押圧して保持軸体３２を他方の第二軸部１７側へ移動させると、大径部４５に形成してある保持溝５０，５０に保持筒体７５の係止片５６，５６が入る。この状態は図１３に詳述している。
ヘッドバンド部３を第二折畳み姿勢Ｂ２とすることにより、ヘッドバンド本体４とともに保持軸体３２も回動しており、保持軸体３２の大径部４５の保持溝５０，５０の深い領域に係止片５６，５６が嵌合する。
【００６５】
各保持溝５０，５０の両側部には、大径部４５の外周面に向けて立上がる側壁面５０ｂ，５０ｂが形成されており、この側壁面５０ｂ，５０ｂは保持溝５０，５０の深い領域ほど高いから、係止片５６，５６は側壁面５０ｂ，５０ｂのうちの高い部分と幅方向で係止可能な状態にある。
つまり、係止片５６，５６が保持溝５０，５０の深い領域に嵌合している場合には、その分だけ係止片５６，５６と側壁面５０ｂ，５０ｂとの幅方向での接触面積が大きいから両者の係止力もまた大きくなり、第二軸部１７，１７どうしが離脱しにくい。よって、第二折畳み姿勢Ｂ２において、第二軸部１７，１７どうしの離脱を確実に防止することができる。すなわち、第二軸部１７，１７どうしの連結を保持することができる。
また、支持部材２５，２５のフランジ２６，２６がストッパとなって、
ヘッドバンド部３が第二折畳み姿勢Ｂ２において不要にスピーカ部２，２側に回らないようになっている。
ところで、ヘッドホン１を使用するために再び装着姿勢Ａとするには、ヘッドバンド本体４がスピーカ部２，２から離れるように、第三軸部１８、第二軸部材（第二軸部１７，１７）回りに回動させて、第三折畳み姿勢Ｂ３から第二折畳み姿勢Ｂ２、さらに第一折畳み姿勢Ｂ１に戻すことで行う。
しかしながら、第二軸部材どうしは保持手段によって連結状態が保持されているから、装着姿勢Ａとするには第二軸部材どうしの連結を解除しなければならない。
【００６６】
この場合は、ヘッドバンド本体４を第二折畳み姿勢Ｂ２から第一折畳み姿勢Ｂ２に戻せばよい。
すなわち、ヘッドバンド本体４を第二折畳み姿勢Ｂ２から第一折畳み姿勢Ｂ１にすると、ヘッドバンド本体４とともに保持軸体３２が軸心８０回りに回動する。よって図１３の状態から図１１および図９に示すように、保持溝５０，５０もまた軸心８０回りに回動する。
しかしながら、保持筒体７５は回動しないから、係止片５６，５６の保持溝５０，５０への嵌合状態は、その深い領域から浅い領域へ次第に移動することになる。
そうなると、係止片５６，５６と保持溝５０，５０との幅方向での係止面積が減って係止力が弱くなり、その係止力に対してコイルバネの弾性力が勝つことで、係止片５６，５６と保持溝５０，５０との係止が外れ、第二軸部１７，１７どうしの保持が自動的に解除される。
【００６７】
上記のような、保持手段による第二軸部１７，１７どうしの連結を解除する場合を図９ないし図１４で説明する。
図１３および図１４は、保持手段による保持状態を示し、係止片５６，５６と保持溝５０，５０とが確実に係止している。このとき保持軸体３２は、他方の第二軸部１７側に移動し、その場に保持されたたままの状態にある。
【００６８】
図１１および図１２は、保持手段による保持が解除されつつある途中の状態、すなわち第二折畳み姿勢Ｂ２から第一折畳み姿勢Ｂ２に戻す途中の状態を示しており、係止片５６，５６が径方向外方に押圧されて、その基部を中心として広がるように弾性変形している。
保持手段による保持が解除されつつある途中の状態では、係止片５６，５６と保持溝５０，５０とは係止したままであるから、保持軸体３２は、他方の第二軸部１７側に移動したままであって、その場に保持されている。
図９および図１０は、保持手段による保持が完全に解除された状態を示しており、保持軸体３２が係止片５６，５６から離れており、コイルバネの弾性により、抜止部材６０が一方の支持部材２５の幅方向端部から突出し、この状態が保持される。
【００６９】
続いて、ヘッドバンド本体４の本体部１３，１３どうしが離れるように、第一軸部１６回りに回動して、挿入部２３を凹部に挿入する（図２の姿勢）。そしてスピーカ部２，２を縦軸部７，７回りに回動して図１に示すように耳当面１２，１２どうしが対向する姿勢とし、装着姿勢Ａとする。
【００７０】
このように、本発明の実施形態によれば、ヘッドホン１の装着姿勢Ａに対して収納姿勢でのサイズを大幅にコンパクト化することができ、しかも保持手段によって、収納姿勢、特に第二折畳み姿勢Ｂ２が容易に解除されてしまうことがないから、コンパクトに収納できる姿勢を確実に保持することができ、取扱い易い状態を確保することができる。
【００７１】
また、第二折畳み姿勢Ｂ２において保持手段によって第二軸部１７，１７どうしの連結状態が保持されていたとしても、ヘッドバンド本体４を第二折畳み姿勢Ｂ２から第一折畳み姿勢Ｂ１にすると、第二軸部１７，１７どうしの保持が自動的に解除される。このため、保持手段を設けていたとしてもそれを解除する手間が不要であり、さらにそれ以後に、ヘッドホン１を装着姿勢Ａとするまでの動作を連続して行うことが可能となり、取扱い性に優れる。
【００７２】
なお、保持手段によれば、第二折畳み姿勢Ｂ２において第二軸部１７，１７どうしの離脱を防止する、すなわち、第二軸部１７，１７どうしの連結を保持することができる旨述べた。しかしながら、この実施形態では、第二軸部１７，１７どうしの連結を保持することができるのは、第二軸部１７，１７どうしを離間させる方向に、ある程度までの離間力が加わった場合に限られるとする。該離間力に対する抵抗力は、係止片５６，５６と保持溝５０，５０との幅方向での係止面積が要因になっている。すなわち、該係止面積を調節することにより、保持手段による保持力もまた調節することができる。
【００７３】
該保持力によっては、大きな離間力が働いても第二軸部１７，１７どうしの連結を保持するから、さらに大きな離間力が働いた場合には、保持手段における係止部分が損傷することが考えられる。このような状態にならないうちに、保持手段が解除されることが望ましい。
【００７４】
上記の説明において、保持手段による第二軸部材（第二軸部１７，１７）どうしの連結保持は、第二折畳み姿勢Ｂ２において行う場合を説明したが、特に第二折畳み姿勢Ｂ２において行う必要はなく、第一折畳み姿勢Ｂ１あるいは第三折畳み姿勢Ｂ３において行うことも可能である。
換言すれば、収納姿勢Ａから第一折畳み姿勢Ｂ１とした状態においても、保持手段による第二軸部材（第二軸部１７，１７）どうしの連結保持は可能なように、保持溝５０，５０の浅い側の側壁面５０ｂ，５０ｂと係止片５６，５６との係止力、すなわち第二軸部材どうしの連結保持が得られるよう構成されている。
特に、装着姿勢Ａから第一折畳み姿勢Ｂ１とした状態において第二軸部材どうしの連結保持を行う場合では、保持溝５０，５０の側壁面５０ｂ，５０ｂと係止片５６，５６との幅方向での係止面積は少ない状態（図１１参照）であるから、幅方向での係止力もわずかである。このため、第二軸部の幅方向両側を手指によって挟んで係止が外れないように第二軸部を手指で挟んだまま、ヘッドバンド部３を第二折畳み姿勢Ｂ２とする。
【００７５】
このように、保持手段による第二軸部材どうしの連結保持は、第一折畳み姿勢Ｂ１、第二折畳み姿勢Ｂ２、第三折畳み姿勢Ｂ３の何れでも可能である。一方で、第二折畳み姿勢Ｂ２から第一折畳み姿勢Ｂ１に戻すと、保持手段による第二軸部材どうしの連結保持は解除されることを先に説明した。つまり第一折畳み姿勢Ｂ１では、保持手段による第二軸部材どうしの連結保持をすることも可能であるし、解除もされることになる。この二つの状態は相反する状態である。
このように相反する二つの状態が存在するのは、第一折畳み姿勢Ｂ１では、保持溝５０，５０の側壁面５０ｂ，５０ｂと係止片５６，５６との相対位置関係が、係止・非係止の臨界位置にあるからである。
すなわち、第二折畳み姿勢Ｂ２から第一折畳み姿勢Ｂ１に戻すと保持手段による第二軸部材どうしの連結保持が解除されるのは、その戻し力によって、保持溝５０，５０および係止片５６，５６の軸心８０回りの相対位置が、臨界位置に対して両者が係止されない状態になるからである。
逆に、装着姿勢Ａから第一折畳み姿勢Ｂ１とした状態では、保持溝５０，５０および係止片５６，５６の軸心８０回りの相対位置が臨界位置に対してわずかにでも係止可能な状態にあることで、第二軸部材どうしの連結保持ができる。
【符号の説明】
【００７６】
１…ヘッドホン、２，２…スピーカ部、３…ヘッドバンド部、４…ヘッドバンド本体、５，５…ハンガー部、１２，１２…耳当面、１３，１３…本体部、１６…第一軸部、１７，１７…第二軸部、１８，１８…第三軸部、２０…第一軸部材、２０ａ…軸心、２５，２５…支持部材、２７，２８…支持スリーブ、３０，３０…回動スリーブ、３２…保持軸体、４５…大径部、４５ａ…面取、４６…小径部、４７…段付面、５０，５０…保持溝、５０ａ，５０ａ…壁面、５２…キー溝、５３…キー孔、５６，５６…係止片、６０…抜止部材、６３…底壁、６４…部材本体、６５…嵌合部材、６６…被装着部、６８…切欠部、７０…回止片、７１…孔、７５…保持筒体、７６…回動中心軸部材、Ｂ１…第一折畳み姿勢、Ｂ２…第二折畳み姿勢、Ｂ３…第三折畳み姿勢
【図１】
2010239200.tif 000003
【図２】
2010239200.tif 000004
【図３】
2010239200.tif 000005
【図４】
2010239200.tif 000006
【図５】
2010239200.tif 000007
【図６】
2010239200.tif 000008
【図７】
2010239200.tif 000009
【図８】
2010239200.tif 000010
【図９】
2010239200.tif 000011
【図１０】
2010239200.tif 000012
【図１１】
2010239200.tif 000013
【図１２】
2010239200.tif 000014
【図１３】
2010239200.tif 000015
【図１４】
2010239200.tif 000016